(57)【特許請求の範囲】
【請求項１】
海岸の水際附近において、その砂浜中に、浜より海中に至る、透水コンクリートまたは透水コンクリートと普通コンクリートの併用よりなり、内部に一端から他端まで貫通した通水孔を設けた排水ブロックを、両端面を除く周囲を透水シートで被覆し、前記通水孔が連通するように配列させ、前記配列させた排水ブロックを、被覆した透水シートの上から連結プレートを当てて、ボルトを前記透水シートを貫通して埋め込みナットに締め込むことで連結して形成した排水層を設け、砂浜に遡上して砂中に浸透した水を、排水層より沖側に自然排水させるようにすることを特徴とする砂浜の安定化及び海水の浄化方法。
【発明の詳細な説明】
【０００１】
【産業上の利用分野】
本発明は、砂浜の中に排水層を施設して、海（湖）浜（前浜）の保全と海（湖）水の浄化を図る方法に関するものである。
【０００２】
【従来の技術】
海岸または湖岸の水際線の地形は、波や流れの影響を受けて底質（主として砂）が移動するため絶えず変化するが、荒天や台風時には海浜（前浜）は大きく侵食されるようになる。従来、海浜の地形を安定化するために、水際線に消波コンクリートブロックや護岸堤を設置したり、離岸堤や潜堤を水中に設置することが行われてきた。また、近頃では、海浜の中に石材による透水層を設けて海浜の地下水を沖側の海中に排水する方法等の実験が行われている。
【０００３】
【発明が解決しようとする課題】
しかし、消波コンクリートや護岸提の設置は、自然景観を損ねることになり、特に消波コンクリートの設置場所は、干潮のとき海水の溜り場ができ、海水が浄化されず不衛生の場になる。また、潜提を設置するものは、景観上好ましいが、建設費が高く、船舶の航行において問題がある。また、石材による透水層を設ける方法は、人工海浜のように下から順番に施工できる場合には施工上の問題は比較的少ないが、侵食を受けている海浜を保全するような場合には、砂中に浸透層を埋設することにかなりの困難をともなうことになる。
【０００４】
本発明は、上記従来の問題点を解決するためになされたもので、海浜（前浜）中に透水コンクリートまたは透水コンクリートと普通コンクリートを併用した排水ブロック等の製品を埋設して、波浪を海浜内に浸透させた後、海中に排水させて、海浜の侵食抑制、砂の堆積を促進し、自然景観を損なうことなく、施工容易で海浜の安定化と海水の浄化を図れるようにした方法を、安価、容易に施設できるようにすることを目的とするものである。
【０００５】
【課題を解決するための手段】
本発明では、、水際附近の地形の変化、特に侵食は、波の遡上、浸透によって砂浜内の地下水位の上昇が大きな原因をなしているとみられていることにかんがみ、その地下水位を下降させるための方法として、砂浜中に、陸域から海域に至る排水層を設置し、遡上してきた海水を砂浜地盤内に浸透させるとともに、海中に排水させるようにする。
【０００６】
排水層は、通水孔を設けた透水コンクリートまたは透水コンクリートと普通コンクリートを併用した、内部に一端から他端まで貫通した通水孔を設けた、両端面を除く周囲を透水シートで被覆した排水ブロックを使用し、これを前記排水ブロックを前記通水孔が連通するように配列させ、前記配列させた排水ブロックを、前記被覆した透水シートの上から連結プレートを当てて、ボルトを前記透水シートを貫通して埋め込みナットに締め込むことで連結して形成する。それによって、砂浜中への排水層設置の施工が容易に経済的に行えるようになる。この排水層は、各排水ブロックを縦横に配列して広い面状に形成し、あるいは、陸域から海域に至る透水ブロックの縦列を、砂浜の横断方向に間隔をおいて多数並列して形成する。
【０００７】
排水ブロックは、透水コンクリートだけで形成したもの、または、上半部に透水コンクリートを使用し、下半部に普通コンクリートを使用した、透水コンクリートと普通コンクリートを併用して形成したものが使用される。また、排水ブロックはその中に単一または複数の通水孔を設けることができ、排水ブロック中に浸透してきた海水を通水孔より効率よく排出できるようにすることができる。また、海水が透水コンクリートを浸透することにより海水の浄化が行われ、海中へはその浄化水が戻されることになる。
【０００８】
【発明の実施の形態】
以下、本発明の実施の形態について図面を参照して説明する。図１〜図３は本発明の実施態様を示し、図４〜図９は本発明において使用する透水性コンクリートブロックの各実施態様及びその連結例を示したものである。
【０００９】
本発明では、図１、図２に示すように、砂浜１内に排水層２を設置する。排水層２は、透水コンクリート等により形成した排水ブロック３ａ，３ｂを用い、これを連結して、砂浜１の汀線ａから陸部側にある後浜（海岸汀部、海岸陸部）ｂから、汀線ａを越して海中に至る長さにわたり、上下所要の厚さに形成され、かつ、その陸側から沖側先端部まで適宜な下がり勾配をなすように形成される。また、排水槽２の設置の高さは、後浜で平均水位レベル以下とするのが好ましい。そして、排水層２は、図２に示すように、安定化を必要とする砂浜１の全長（汀線ａに沿った方向）にわたり全面的に形成するか、あるいは、図３に示すように、砂浜１の横断方向に間隔をおいて多数の排水槽２ａ，２ｂ……２ｎを並設する。
【００１０】
排水ブロック３は、透水コンクリートまたは透水コンクリートと普通コンクリートの併用によって適宜な形状に製作される。また、その中には一端から他端まで貫通した通水孔５ａが設けられている。図４は透水コンクリート４ａのみを用いて製作された排水ブロック３の各種の実施態様を示したもので、（イ）は、断面四角形で、中央部に丸孔の通水孔５が設けられている。（ロ）は断面長方形で、楕円状の通水孔５が設けられ、（ハ）は断面長方形で、２本の丸孔の通水孔５が設けられ、また（ホ）は、断面長方形としたブロック３の中に断面長方形とした通水孔５が設けられたものとなっている。
【００１１】
図５は、透水コンクリート４ａと普通コンクリート４ｂとを併用して製作された排水ブロック３の一実施態様を示したもので、上半部に透水コンクリート４ａが用いられて一体的に用いられ、下半部に普通コンクリート４ｂが用いられて一体的に成形されている。断面は四角形で、その中央部に丸孔の通水孔５が設けられている。なお、透水コンクリート４ａと普通コンクリート４ｂとの併合における割合は、上記にかかわりなく適宜定めることができる。また、この排水ブロック３においても図4に示した形態のものが適用できる。
【００１２】
上記のように、通水孔５を設けた透水コンクリートまたは透水コンクリートと普通コンクリートの併用よりなる排水ブロック３，３ａの排水層２を施設することによって、波が遡上後、砂浜１表面から浸透した海水は排水ブロックに浸透して通水孔５を通って沖側の海中に流れ（自然排水）、水際線ａ付近の平均水位及び砂浜１中の地下水位の上昇が抑えられる。その結果、荒天時には水際線ａ付近の浸食が軽減され、静穏時には、水際線ａ付近への堆積が促進される。また、砂浜１に遡上した海水は、排水ブロック３，３ａを通過することにより濾過されて海中に戻されるため、海水の浄化が期待できることになる。
【００１３】
排水ブロック３は、施工や運搬に便利な大きさ形状に成形するのがよい。断面形状は上記のように四角形や長方形に限らず、円形や楕円形、長円形、三角形あるいは多角形とすることもできる。しかし、四角形や長方形としたほうが、施工性や運搬性及び施工後の安定性で優れている。また、通水孔５も、図４に示した実施態様のものに限らず、適宜変更可能である。
【００１４】
排水層２は、上記のような排水ブロック３を、図１〜図３、図６に示すように、互いにそれらの通水孔５が連通するように配列させて連結することにより形成される。この場合、排水層２は、砂浜の傾斜等に対応して、その長さ方向において勾配を変化させる必要が生ずるが、このような場合は、図１、図６に示すように、上記の排水ブロック３とは形状の異なる、上辺が長く下辺が短く、一方の端面が傾斜した勾配調整用の排水ブロック３ａを途中に挟んで連結する。
【００１５】
排水ブロック３，３ａどうしを連結するには、その一例として、図６、図７に示すように、排水ブロック３，３ａの端部側面の上部と下部とに埋め込みナット６を設けておき、両端部にボルト挿通孔を設けた連結プレート７よりボルト８を埋め込みナット６に締め込んで連結する。上記の埋め込みナット６、連結プレート７及びボルト８はいずれも防食性のものを使用するのがよい。
【００１６】
排水ブロック３，３ａには、その損壊等を防ぐための手段を設けることができる。例えば図８に示すように、排水ブロック３，３ａの両端面を除く周囲を透水シート10で被覆する。この場合、排水ブロック３，３ａの連結は、連結プレート７を被覆した透水シート10の上から当てて、ボルト８を透水シート10を貫通して埋め込みナット６に締め込むようにする。
【００１７】
また、排水ブロック３，３ａの連結は、上記のような、連結プレート７とボルト・ナット６，８を使用せずに行うこともできる。すなわち、例えば図９に示すように、通水孔５を有する排水ブロック３ｂの両端面の一方に凸部11を設け、他方にこの凸部11と係合する凹部12を設け、各ブロック３ｂをそれら凸部11と凹部12の係合によって連結することができる。なお、この場合も、連結の強度を高くするために、さきに示した連結プレート７とボルト・ナットによる結合手段を付加することができる。
【００１８】
なお、本発明の方法は、海岸ばかりでなく湖岸においても実施することができる。
【００１９】
【発明の効果】
以上説明したように、本発明によれば、排水層を砂浜中に設けたことにより、波が遡上して砂浜表面から浸透した海水が、排水層を通り海中に自然排出されることになり、水際線付近の平均水位及び砂浜中の地下水位の上昇が抑えられることになる。その結果、荒天時における水際線付近の浸食が軽減されるとともに、静穏時には水際線付近への砂の堆積が促進され、砂浜の安定化が図れる。また、遡上した海水は排水ブロックよりなる排水層を経ることにより、浄化されて海中に戻され、海水の浄化も図れる。また、排水ブロックの両端部を除く周囲を透水シートで被覆したので、その損壊等を防止することができる。
【００２０】
また、排水層は、透水コンクリートまたは透水コンクリートと普通コンクリートの併用による排水ブロックを連結して形成できるようにしたので、施工が確実、容易に行えるとともに、他に特別な構造物や装置類を必要としないので、経済性に優れている。
【図面の簡単な説明】
【図１】本発明の一実施態様を示す横断面図である。
【図２】排水層の一実施態様を示す平面図である。
【図３】同他の実施態様を示す平面図である。
【図４】（イ）、（ロ）、（ハ）、（二）、（ホ）透水コンクリートによる排水ブロックの各種実施態様を示した正面図である。
【図５】透水コンクリートと普通コンクリートの併用による排水ブロックの一例を示した正面図である。
【図６】排水ブロックの連結例を示した側面図である。
【図７】連結手段を設けた排水ブロックの要部を示した断面図である。排水ブロックの連結部の態様を示した断面図である。
【図８】透水シートを被覆した排水ブロックを示した正面図である。
【図９】排水ブロックの他の連結側を示した側断面図である。
【符号の説明】
１  砂浜
２  排水層
３，３ａ，３ｂ  排水ブロック
４ａ  透水コンクリート
４ｂ  普通コンクリート
５  通水孔
６  埋め込みナット
７  連結プレート
８  ボルト
10  透水シート
凸部
12  凹部
【図１】
0004036315.tif 000002
【図２】
0004036315.tif 000003
【図３】
0004036315.tif 000004
【図４】
0004036315.tif 000005
【図５】
0004036315.tif 000006
【図６】
0004036315.tif 000007
【図７】
0004036315.tif 000008
【図８】
0004036315.tif 000009
【図９】
0004036315.tif 000010